(57)【要約】      （修正有）【課題】先に提案した原子力施設内や放射線管理区域内などを始めとし、様々な作業環境で作業する作業員や、その他の作業に従事する作業員が作業時に着用することができるフリーサイズのつなぎ服をベースに、股裂け防止機能を付加した新たなつなぎ服を提供すること、及び、股裂け防止機能を付加した上で製造手間がかからず、コストもあまりかからない新たなつなぎ服を提供する。【解決手段】混着用者の胸，腹及び腰を収容する胴筒と腕を収容する腕筒１２と脚を収容する脚部１３とを一体に形成すると共に胴筒１１の一部をファスナーなどの止着部材１５によって開閉自在に形成したつなぎ服において、腕筒１２の下側から胴筒１１の側部を通り脚筒１３の側部にかけて伸ばした状態の伸縮性部材３３を取付けると共に、脚筒１３の股部にマチ部材Ｍを設けた。【選択図】図１
0003135243.tif 000002
【実用新案登録請求の範囲】
【請求項１】
着用者の胸，腹及び腰を収容する胴筒と腕を収容する腕筒と脚を収容する脚部とを一体に形成すると共に胴筒の一部をファスナーなどの止着部材によって開閉自在に形成したつなぎ服において、前記腕筒の下側から胴筒の側部を通り脚筒の側部にかけて伸ばした状態の伸縮性部材を取付けると共に、前記脚筒の股部にマチ部材を設けたことを特徴とするつなぎ服。
【請求項２】
着用者の胸，腹及び腰を収容する胴筒と腕を収容する腕筒と脚を収容する脚部とを一体に形成すると共に胴筒の一部をファスナーなどの止着部材によって開閉自在に形成したつなぎ服において、前記脚筒を、１枚の生地を胴筒の正面幅を含む両脚の長さを有する筒状体に形成し、該筒状体を前記胴筒の下部に左右に開いた状態で設けると共に、前記腕筒の下側から胴筒の側部を通り左右に開いた状態の前記脚筒の上側縁にかけて伸縮性部材を取付けたことを特徴とするつなぎ服。
【請求項３】
脚筒の下側縁の略中央部にマチ部材となる補強部材を設けた請求項２のつなぎ服。
【請求項４】
マチ部材は、弾性部材，クッション性部材，厚手の布地，不織布のいずれかにより、又は、これらを組み合わせた部材により形成した請求項１又は３のつなぎ服。
【請求項５】
伸縮性部材は、腕筒の腋下近傍から胴筒の側部を通り脚筒の側部の上半側に縫合や接着により取付けた請求項１〜４のいずれかのつなぎ服。
【請求項６】
伸縮性部材は、腕筒、胴筒及び脚筒にそれぞれ別個に取付けた請求項１〜５のいずれかのつなぎ服。
【請求項７】
顔を露出させる窓を備えるフードを一体に形成した請求項１〜６のいずれかのつなぎ服。
【請求項８】
全体が不織布からなる請求項１〜７のいずれかのつなぎ服。
【請求項９】
止着部材は、スライドファスナー、面ファスナー、ボタン、ホック、係止爪のいずれか、又はこれらを適宜併用したものである請求項１〜８のいずれかのつなぎ服。
【考案の詳細な説明】
【技術分野】
【０００１】
本考案は、原子力施設内のような放射線管理区域内などで作業する作業員、或は、半導体製造や食品製造などのような塵芥を嫌う作業場での作業員や農薬の散布作業に従事する作業員などが作業服として着用するのに好適なつなぎ服に関するものである。
【背景技術】
【０００２】
従来から原子力施設内や放射線管理区域内などで作業する作業員や、農薬を散布する作業に従事する作業員などが着用するつなぎ服としては、種々の形式、構造のものが提案され実用にも供されており、特にそのサイズを、作業性が損なわれないように作業員の体格に合わせて、Ｓ，Ｍ，Ｌ，ＬＬ，３Ｌ，４Ｌ，ＸＬなど、少なくとも３サイズから７サイズに分けて作製，提供されている。
【０００３】
一方、放射線管理区域内などで作業する作業者が着用するつなぎ服は、高価な放射線防護用布地を用いて作製したり、或は、一度着用したらそのまま焼却等により処分して使い捨てにするほか、洗濯して数回着用したあと所定の処分をしたりすることが多い。このため、上記のように同一デザインであっても多様なサイズのものを作製すると、一着ごとのコストが高くつき、不経済であるほか、次のような問題もある。
【０００４】
例えば、１日につき、上記区域に作業員が2000人から8000人も出入りする場合、各作業員は自分の体格に合わせてつなぎ服を選択するが、幾分大きめのつなぎ服を選択する傾向があるため、サイズが小さなつなぎ服が使用されないで残ることが多い。そのためサイズが大き目のつなぎ服を予め多めに用意するのが望ましいが、それでも他のサイズのつなぎ服も、その度、所定数量を予め用意する必要がある。また、各サイズごとに用意するつなぎ服の数量のチェックや不足分の補充が必要になるため、手間とコストが余計にかかることは否めない。
【０００５】
そこで、本出願人は、一サイズの作業衣でＳ，Ｍ，Ｌの大きさに使用でき、しかも、袖筒の袖口及び脚筒の裾口にゴム紐等の伸縮性部材を縫合して、体にフィットするようにしたつなぎ服タイプの作業衣を、袖筒を備え上半身部に着用する上衣部と、脚筒を備え下半身部に着用する下衣部とが一体に形成され、上衣部の袖筒の長さ方向の内部にゴム紐等の伸縮性部材を縫合する一方、下衣部の脚筒の長さ方向内部にゴム紐等の伸縮性部材を伸張した状態で縫合した構成として、既に提案している（特許文献１を参照）。
【０００６】
上記作業衣は、一着で多様な体格、身長の着用者に対応できる、いわばフリーサイズであるから、従来のように各サイズごとの数量チェックは必要なく所期の目的を達成することはできたが、伸縮性部材を取付ける部位が多く、その取付作業も煩雑なため、製造手間やコストの面で未だ解決すべき問題点があった。
【０００７】
上記問題点を解決するために、本出願人は、着用者の胸、腹及び腰を収容する胴筒と腕を収容する腕筒と脚を収容する脚筒とを一体に形成すると共に、胴筒の一部をファスナーなどの止着部材によって開閉自在に形成し、この腕筒の下側から胴筒の側部を通り脚筒の側部にかけて伸ばした状態の伸縮性部材を取付けたつなぎ服を先に提案した（特許文献２を参照）。
【０００８】
特許文献２で提案したつなぎ服は、伸縮性部材を必要最小限の部位に取付けるようにしたので、フリーサイズでありながら製造手間がかからず、コストの面でも特許文献１で提案した作業衣より優れている。しかし、この提案に係るつなぎ服を着用して作業をしているとき、強度の面で更に改良の余地があることがわかった。具体的には、脚筒の股部が裂けてしまう場合があり、このような股裂けを防止するために、股部を補強する必要があることがわかった。股部の補強としては、特許文献３で提案されている柔道用パンツとか特許文献４で提案されているズボンにおいて股部にマチを入れて補強することが提案されている。
【０００９】
しかしながら、一度着用したらそのまま焼却等により処分して使い捨てにしたり、洗濯して数回着用したあと所定の処分をしたりすることが多い作業衣やつなぎ服に、股裂けを防止するために股部に特許文献３，４で提案されているマチのような補強部材を設けたものは、従来は全く提案されていなかった。
【特許文献１】特開２００３−５５８１３号公報
【特許文献２】実用新案登録第３１１２３８８号公報
【特許文献３】特開２００１−２７１２０７号公報
【特許文献４】特許第３８５１６２８号公報
【考案の開示】
【考案が解決しようとする課題】
【００１０】
本考案は、先に提案した原子力施設内や放射線管理区域内などを始めとし、様々な作業環境で作業する作業員や、その他の作業に従事する作業員が作業時に着用することができるフリーサイズのつなぎ服をベースに、股裂け防止機能を付加した新たなつなぎ服を提供すること、及び、股裂け防止機能を付加した上で製造手間がかからず、コストもあまりかからない新たなつなぎ服を提供することを、その課題とするものである。
【課題を解決するための手段】
【００１１】
上記課題を解決することを目的としてなされた本考案つなぎ服の構成は、着用者の胸，腹及び腰を収容する胴筒と腕を収容する腕筒と脚を収容する脚部とを一体に形成すると共に、胴筒の一部をファスナーなどの止着部材によって開閉自在に形成したつなぎ服において、前記腕筒の下側から胴筒の側部を通り脚筒の側部にかけて伸ばした状態の伸縮性部材を取付けると共に、前記脚筒の股部にマチ部材を設けたことを特徴とするものである。
【００１２】
上記課題を解決することを目的としてなされた本考案つなぎ服の他の構成は、着用者の胸，腹及び腰を収容する胴筒と腕を収容する腕筒と脚を収容する脚部とを一体に形成すると共に胴筒の一部をファスナーなどの止着部材によって開閉自在に形成したつなぎ服において、前記脚筒を、１枚の生地を胴筒の正面幅を含む両脚の長さを有する筒状体に形成し、該筒状体を前記胴筒の下部に左右に開いた状態で設けると共に、前記腕筒の下側から胴筒の側部を通り左右に開いた状態の前記脚筒の上側縁にかけて伸縮性部材を取付けたことを特徴とするものであり、また、脚筒の下側縁の略中央部にマチ部材となる補強部材を設けた構成にすることもある。
【００１３】
本考案において、マチ部材は、弾性部材，クッション性部材，厚手の布地，不織布のいずれかにより、又は、これらを組み合わせた部材により形成したものでもよい。
【００１４】
また、本考案おいて、伸縮性部材は、腕筒の腋下近傍から胴筒の脇を通り脚筒の脇の上半側に縫合や接着により取付けてもよく、また、腕筒部分、胴筒部分、脚筒部分にそれぞれ別個に取付けてもよい。なお、腕筒の袖口及び脚筒の裾口は、それぞれに伸縮性部材を縫合して、手足に密着可能にすることができる。また、顔を露出させる窓を備えるフードを一体に形成してもよい。本考案つなぎ服は、通常、不織布により形成するが、使用目的や使用環境に応じて他の布地や紙などの素材を採用してもよい。止着部材も、使用目的や使用環境などに応じてスライドファスナー、面ファスナー、ボタン、ホック、係止爪のいずれか、又はこれらを適宜併用したものでよい。
【考案の効果】
【００１５】
本考案つなぎ服は、着用者の胸、腹及び腰を収容する胴筒と腕を収容する腕筒と脚を収容する脚筒とを一体に形成すると共に、胴筒の一部をファスナーなどの止着部材によって開閉自在に形成したつなぎ服において、腕筒の下側から胴筒の脇を通り脚筒の脇にかけて伸ばした状態で伸縮性部材を取付けた構成であるため、着用前は伸縮性部材の作用で腕筒や脚筒の長さ並びに胴筒の周長さが縮小しており、着用したとき、大きな体格であっても、小さな体格であっても、伸縮性部材の伸縮作用によって腕筒や脚筒の長さが着用者の腕や脚の長さに合うように伸縮し、また、伸縮性部材の作用で胴部を着用者の脇及び腰に密着させることができる。
【００１６】
また、本考案つなぎ服は、伸縮性部材を必要最小限の部位に取付けるようにしたので使用する伸縮性部材の長さ並びに当該部材の縫着作業などが少なくなり、材料及び作業工数が減り、製造を低コストで行うことができる。その結果、原子力施設内や放射線管理区域内などを始めとし、様々な作業環境で作業する作業員や、その他の作業に従事する作業員が作業時に着用することができるフリーサイズのつなぎ服を、簡潔な構造で実現し、より低コストで製作することができる。
【００１７】
更に、本考案つなぎ服は、脚筒の股部にマチ部材を設けたので、作業時に大きくしゃがんだりしても股部が裂けたりすることがない。なお、脚筒を、胴筒の下部にこの胴筒に対し左右に開いた状態で設けた場合は、マチ部材を設けるための縫製作業を簡略化することができる。
【００１８】
更には、本考案つなぎ服において、腕筒の袖口と脚筒の裾口とをリング状の伸縮性部材や縛り紐で拡縮構造とし、また、つなぎ服の着用，脱衣のための開口部を面ファスナー、ホック、ボタンなどのファスナーによって開閉自在としたことによって、着脱が容易になり、着用したとき、袖口及び裾口を伸縮性部材や縛り紐によって手首及び足首に密着させることができる。また、腕筒の下側から胴筒の脇（側面）を通り脚筒の脇（側面）にかけて伸縮性部材を取付けたことによって、袖長及び脚長を着用者の腕や脚の長さに合わせることができるから、着用者の身体によくフィットするつなぎ服を得ることができる。
【考案を実施するための最良の形態】
【００１９】
次に、図を参照して、本考案の実施の形態例を説明する。図１は本考案つなぎ服の一例の正面図、図２は本考案つなぎ服の別例の正面図、図３は着用した状態の正面図、図４は図１の３−３線に沿う部分を拡大して模式的に示した断面図である。
【００２０】
実施例として説明するつなぎ服は、放射線管理区域内などで作業する作業者が着用するもので、作業終了後に洗濯して数回着用したあと廃棄する。なお、検査により放射能による汚染が確認された場合は、１回の着用でも焼却等により処分する。
【００２１】
本考案によるつなぎ服は、図１に示すように、着用者の胸、腹及び腰を包む胴筒１１と、腕を包む２本の腕筒１２（袖１２ともいう）と脚を包む２本の脚筒１３とを一体に形成し、更に、頭を包むフード１４を一体に形成し、胴筒１１の前部を止着部材１５によって開閉可能にした形態を有している。服全体は白色など、任意の色の不織布から構成されている。
【００２２】
胴筒１１は、左右の前身頃２１と後見頃２２とを一体に形成し、後見頃２２に対して左右の前身頃２１を前方に位置付け筒状にしたもので、左右の前身頃２２の前側縁には、止着部材１５が縫着されている。ここで、止着部材１５としては、プラスチック製などのスライドファスナーを用いているが、使用目的や使用環境などに応じて、面ファスナー、ボタン、ホック、係止爪など衣料用の各種ファスナー類のいずれか、又は、これらを適宜併用することができる。左右の腕筒１２は、腕筒の下側に当たる縁２３を縫合して筒状に形成したもので、一端が胴筒１１の肩部にある各開口に縫合されている。左右の脚筒１３は、上部の前後が胴筒１１の左右の前身頃２１及び後見頃２２の下部と一体に形成されていると共に、股を形成する内側の縁２５を縫合することで筒状に形成されている。
【００２３】
Ｍは、股を形成する内側の縁２５に沿って縫着したマチ部材で、ここでは厚手の布地を縫着している。マチ部材には、厚手の布地以外に不織布、ゴムなどの弾性部材，スポンジ状のクッション性部材など、或は、これらを適宜積層した部材を使用することができる。
【００２４】
次に、フード１４は、前面を開口した略袋状に形成されていると共に、下方開口縁２７を胴筒１１に縫合している。フード１４の前面開口は顔を露出させる窓２８に形成されているが、窓２８はこれを形成する両側の領域が前身頃２１と一体となっていると共に、下部がスライドファスナー１５によって開閉自在となっている。
【００２５】
本考案では、つなぎ服における腕筒１２，胴筒１１，脚筒１３の長さ方向、並びに、胴筒の周長に伸縮性を付与するために、胴部１１の左右の外側面領域にそこから上下に延びる伸縮性部材３３が伸ばした状態で取付けられている。即ち、伸縮性部材３３は、腕筒１２の下側から胴筒１１の脇（側面）を通り脚筒１３の脇（側面）にかけて、例えば前記部材３３の上端側が腕筒１２の腋に対応する領域まで延び、下端側が脚筒１３における大腿部の側面に対応する領域まで延びている。
【００２６】
具体的には、胴筒１１、腕筒１２、脚筒１３は、伸縮性部材３３を取付ける前には例えばＬサイズに形成されており、１本の伸縮性部材３３には、腕筒１２，胴筒１１，脚筒１３がＳサイズからＬサイズまで伸張する長さをもつゴム紐を使用する。そして、ゴム紐の上方部分、中間部分及び下方部分を、Ｌサイズの胴筒１１、腕筒１２、脚筒１３の所要部位に伸張した状態で縫着することにより、縫着したゴム紐の縮小作用でつなぎ服がＳサイズ近傍のサイズまで収縮する。なお、ゴム紐（伸縮性部材３１〜３４）は、縫着のほか、接着や接着と縫着の併用などの取付け態様によって取付けてもよい。これによって、本考案つなぎ服は、ＳサイズからＬサイズまで、そのサイズを拡縮することができるように形成されていることになる。
【００２７】
なお、本考案においては、伸縮性部材３３を、腕筒、胴筒及び脚筒ごとに別個に３本用意し、１本目は腕筒１２の下側縁２３に位置する縫い目に沿って伸長状態で縫着し、２本目は胴筒１１を形成する前身頃２１と後見頃２２との間にある折れ線に沿って伸長状態で縫着し、そして、３本目を脚筒１３の外側縁に沿って伸長状態で縫着する態様もある。
【００２８】
図２は、図１に示したつなぎ服とは別例の本考案つなぎ服を示している。なお、図２において図１に示した符号と同一の符号は同一部材を示している。図２に示したつなぎ服は、図１に示したつなぎ服と比較して製造手間，コストがかからないようにしたものである。具体的には、脚筒１３を、１枚の生地を胴筒１１の正面幅を含む両脚の長さを有する筒状体に形成し、該筒状体を前記胴筒１１の下部に左右に開いた状態で縫製などにより取付けると共に、腕筒１２の下側から胴筒１１の側部を通り左右に開いた状態の脚筒１３の上側縁にかけて伸縮性部材３３を取付けるようにしたので、縫製の簡略化を図ることができ、また、この状態で脚筒１３の下側縁２５′に沿ってその略中央部にマチ部材Ｍ′となる補強部材を容易に縫着することができるので、製造手間，コストがかからない。
【００２９】
図４は伸縮性部材３３の中間部分を断面にした状態を模式的に示しており、符号３５は伸縮性部材３３を胴部１１に逢着する糸である。本考案つなぎ服においては、腕筒１２における袖口２４にリング状にゴム紐などの伸縮性部材３１を入れてこの袖口２４を狭窄し、袖口径がつなぎ服サイズＳからＬまでに対応するサイズに伸縮可能に形成されていると共に、脚筒１３の裾口２６にもリング状にゴム紐などの伸縮性部材３２を入れてこの裾口２６を狭窄し、裾口径もつなぎ服のサイズＳからＬサイズまでに対応して伸縮可能に形成されている。これにより、本考案つなぎ服は、伸縮性部材３３を取付ける前は胴筒１１、腕筒１２及び脚筒１３がＬサイズに形成されているが、胴筒１１の径、腕筒１２の袖口２４及び脚筒１３の裾口２６の径は、伸縮性部材３１，３２，３４によってＳサイズ乃至その近傍のサイズに縮小している。
【００３０】
本考案つなぎ服の着用は、スライドファスナー１５を押し下げ、左右の脚を左右の脚筒１３に順に入れ、両腕を左右の腕筒１２に通し、フード１４を頭に被り、スライドファスナー１５を引き上げることによって行なう。着用すると、伸縮性部材３３の各部分が着用者の身体の大きさに対応して伸張するので、胴部１１と腕部１２及び脚部１３の一部が着用者の脇、胴及び腰に密着し、同時に、伸縮性部材３１が伸張して腕筒１２の袖口２４が着用者の手首に密着し、並びに、伸縮性部材３２が伸張して脚筒１３の裾口２６が足首に密着することによって、腕筒１２及び脚筒１３の長さも着用者の腕長及び脚長に応じて調整される。そして、スライドファスナー１５が上まで一杯に引き上げられると、フード１４に使用者の顔を露出させる窓２８が形成され、使用者が顎を窓２８におけるスライドファスナー上端側に位置する下縁を掛けることによって、フード１４を頭にフィットさせることができる。
【００３１】
本考案つなぎ服は、上記のように常態において、腕筒１２の袖口２４、胴筒１１，脚筒１３の裾口２６の径が小さく、具体的にはＳサイズ相当、或は、それ以下のサイズまで縮径されているので、例えば通常は個別に作製されたＭサイズやＬサイズのつなぎ服を着用していた者が着用しても、胴筒１１が着用者の体にフィットし、しかも、袖口２４及び裾口２６が着用者の手首と足首に狭穿してフィットするため違和感なく着用できる。また、図３に例示するように、通常ではＳサイズのつなぎ服を着用していた者が本考案つなぎ服着用すると、腕筒１２及び脚筒１３の長さが大きいため少しだぶつくことになるが、胴筒１１が伸縮性部材３３によって着用者の胴に密着し、しかも、袖口２４及び裾口２６が伸縮性部材３１，３２によって手首及び足首に密着しているので、服の大きさに対する違和感を覚えることなく着用することができる。
【００３２】
上述したように、従来は、放射線管理区域内などで作業する作業者が着用するつなぎ服は、使用者の様々な大きさの体格に対応できるようにするため多種のサイズのものを、高価な放射線防護用布地などを用いて作製し予め用意しておく必要があったが、そのようなつなぎ服であっても、一度着用したらそのまま焼却等により処分して使い捨てにしたり、洗濯して数回着用したあと所定の処分をしたりする利用形態であるので、つなぎ服一着ごとのコストが結果的には高くつくという難点があった。然るに、本考案によるつなぎ服は腕，胴，脚に伸縮性を持たせて、一サイズのつなぎ服を少なくとも三サイズのつなぎ服として使用することができるようにしたので、経済性は著しく向上する。更に、帯又は紐状の伸縮性部材を所定部位に縫着などにより取付けるだけで、フリーサイズのつなぎ服を得ることができて、本出願人が先に提案した作業服よりも、材料が少ないばかりか、伸縮性部材の縫着作業などの手間が少なくなって、製作コストが著しく低減する。また、本考案つなぎ服は、股部がマチ部材によって補強されているので、着用時に股部に強い力が作用しても股部が裂けたりすることはなく、また、作業中に大きくしゃがみ込んだりしても股部が破れたりすることはなく、股裂けを防止することができる。
【産業上の利用可能性】
【００３３】
本考案つなぎ服は、以上の通りであって、伸縮性部材を必要最小限の部位に取付け伸縮乃至拡縮のための構造を簡素化すると共、股部にマチ部材を縫着して股裂けを防止しているので、丈夫な上に容易かつ安価に作製，提供でき、従って、日々、大量に着用されて消費される放射線管理地域で使用される防護用作業服などの作業服として極めて有用である。また、農薬散布における防除用などの作業服、或は、半導体産業や食品産業のように塵や埃を嫌う作業場における作業服としても有用であり、フードを設けないタイプのつなぎ服では、一般の作業服としても有用である。
【図面の簡単な説明】
【００３４】
【図１】本考案つなぎ服の一例の正面図。
【図２】本考案つなぎ服の別例の正面図。
【図３】着用した状態の正面図。
【図４】図１の３−３線に沿う部分を拡大して模式的に示した断面図。
【符号の説明】
【００３５】
１１          胴筒
１２          腕筒
１３          脚筒
１４          フード
１５          止着部材（スライドファスナー）
２１          前身頃
２２          後見頃
２３          内側縁
２４          裾口
２５，２５’  下側縁
２６          袖口
２７          下方開口縁
２８          窓
３１〜３４    伸縮性部材
３７          上側縁
Ｍ，Ｍ′      マチ部材
【図１】
0003135243.tif 000003
【図２】
0003135243.tif 000004
【図３】
0003135243.tif 000005
【図４】
0003135243.tif 000006